(57)【要約】【課題】着座者の頭部の前方への傾きを抑えることができ、気道を詰まり難くすることが可能な着座用器具を提供する。【解決手段】本発明に係る着座用器具は、座部１と背凭れ部２とを有する着座用器具であって、背凭れ部２内に配置されるフレーム３，３同士の間に掛け渡され、外力を受けることにより撓むベルト４を備え、該ベルト４により、着座者の後頭部下部を支持し得ることを特徴とする。本発明に係る着座用器具によれば、着座者の頸椎を強く圧迫することなく、着座者の頭部の前方への傾きを抑えることができ、気道を詰まり難くすることが可能となる。【選択図】図２
2007236428.tif 000002
【特許請求の範囲】
【請求項１】
座部と背凭れ部とを有する着座用器具であって、
前記背凭れ部内に配置されるフレーム同士の間に掛け渡され、外力を受けることにより撓むベルトを備え、該ベルトにより、着座者の後頭部下部を支持し得ることを特徴とする着座用器具。
【請求項２】
前記ベルトに、着座者の後頭部下部の両側を支持し得るパッドが設けられていることを特徴とする請求項１に記載の着座用器具。
【請求項３】
前記背凭れ部に、着座者の後頭部下部の両側を支持し得るパッドが設けられていることを特徴とする請求項１に記載の着座用器具。
【請求項４】
前記背凭れ部に取り付けられるカバーであって、着座者の後頭部下部の両側を支持し得るパッドを有するカバーを具備することを特徴とする請求項１に記載の着座用器具。
【請求項５】
前記フレームが屈曲可能であって、該フレームを屈曲させることにより、着座者の後頭部下部の位置に合わせて前記ベルトの位置を調節可能であることを特徴とする請求項１から４のいずれか１に記載の着座用器具。
【請求項６】
前記フレームが屈曲可能であって、該フレームを屈曲させることにより、前記ベルトで着座者の背中を支持し得ることを特徴とする請求項１から５のいずれか１に記載の着座用器具。
【請求項７】
請求項１に記載の背凭れ部に取り付けられるカバーであって、着座者の後頭部下部の両側を支持し得るパッドを有することを特徴とするカバー。
【発明の詳細な説明】
【技術分野】
【０００１】
本発明は、着座用器具及びそれに用いられるカバーに関するものである。
【背景技術】
【０００２】
従来、着座用器具として、ヘッドレストを備えるシートが広く普及している。それらのシートでは、ヘッドレストにより、着座者の後頭部中央を支持する構成が一般的である。しかしながら、後頭部中央を支持する構成では、概して着座者の頭部が前方へ傾きやすくなる。特に、頭部を支える筋力が低下した高齢者等では、頭部が前方へ傾くことによって気道が詰まり易くなるという問題がある。
【０００３】
一方、特開２００５−１８５６８６号公報には、背凭れ部内に配置されるフレームが屈曲可能である着座用器具が開示されている。しかしながら、かかる着座用器具も、背凭れ部の上部により、着座者の後頭部中央を支持する構成である。従って、かかる着座用器具において、フレームを屈曲させた場合には、着座者の頭部が前方へ強く傾くこととなり、着座者の気道がより詰まり易くなるという問題がある。
【特許文献１】特開２００５−１８５６８６号公報
【発明の開示】
【発明が解決しようとする課題】
【０００４】
本発明は、着座者の頭部の前方への傾きを抑えることができ、気道を詰まり難くすることが可能な着座用器具及びそれに用いられるカバーを提供することを課題とするものである。
【課題を解決するための手段】
【０００５】
本発明は、上記課題を解決するため、以下の着座用器具及びカバーを提供する。
１．座部と背凭れ部とを有する着座用器具であって、
前記背凭れ部内に配置されるフレーム同士の間に掛け渡され、外力を受けることにより撓むベルトを備え、該ベルトにより、着座者の後頭部下部を支持し得ることを特徴とする着座用器具。
２．前記ベルトに、着座者の後頭部下部の両側を支持し得るパッドが設けられていることを特徴とする前記１に記載の着座用器具。
３．前記背凭れ部に、着座者の後頭部下部の両側を支持し得るパッドが設けられていることを特徴とする前記１に記載の着座用器具。
４．前記背凭れ部に取り付けられるカバーであって、着座者の後頭部下部の両側を支持し得るパッドを有するカバーを具備することを特徴とする前記１に記載の着座用器具。
５．前記フレームが屈曲可能であって、該フレームを屈曲させることにより、着座者の後頭部下部の位置に合わせて前記ベルトの位置を調節可能であることを特徴とする前記１から４のいずれか１に記載の着座用器具。
６．前記フレームが屈曲可能であって、該フレームを屈曲させることにより、前記ベルトで着座者の背中を支持し得ることを特徴とする前記１から５のいずれか１に記載の着座用器具。
７．前記１に記載の背凭れ部に取り付けられるカバーであって、着座者の後頭部下部の両側を支持し得るパッドを有することを特徴とするカバー。
【発明の効果】
【０００６】
前記１に記載の本発明によれば、背凭れ部内に配置されるフレーム同士の間に掛け渡され、外力を受けることにより撓むベルトを備え、該ベルトにより、着座者の後頭部下部を支持し得るため、着座者の頸椎を強く圧迫することなく、着座者の頭部の前方への傾きを抑えることができ、気道を詰まり難くすることが可能となる。
前記２乃至４及び７に記載の本発明によれば、着座者の後頭部下部の両側を支持し得るパッドを有するため、該パッドにより、着座者の頭部が左右へ傾いたり、揺れ動いたりすることを抑制することが可能となる。従って、着座者の頭部をより安定した状態で保持することが可能となる。
前記５に記載の本発明によれば、フレームが屈曲可能であって、該フレームを屈曲させることにより、着座者の後頭部下部の位置に合わせてベルトの位置を調節可能であるため、後頭部下部の位置が着座者によって異なる場合でも、着座者の体格に合わせてベルトの位置を調節することが可能となる。
前記６に記載の本発明によれば、フレームが屈曲可能であって、該フレームを屈曲させることにより、ベルトで着座者の背中を支持し得るため、着座者が背凭れ部に凭れかかった状態でも、着座者の上半身が略垂直な姿勢となるように保持することが可能となる。
【発明を実施するための最良の形態】
【０００７】
以下、本発明の実施の形態を図面に示した実施例に従って説明する。なお、以下の説明においては、本発明の適用対象を座椅子とするが、本発明に係る着座用器具には、座椅子のほか、椅子、ソファー、座席等が含まれる。
【実施例１】
【０００８】
図１は、本発明の実施例１に係る着座用器具を示す斜視図である。この図に示したように、本実施例に係る着座用器具は、座部１及び背凭れ部２を有して構成される。
【０００９】
本実施例に係る着座用器具は、座椅子として使用されるものであり、座部１と背凭れ部２とが一体的に構成されるとともに、座部１を支える脚部を有しない。
【００１０】
背凭れ部２内には、背凭れ部２の各側面に沿ってフレーム３，３が配置されている（図２参照）。背凭れ部２内に存する各フレーム３，３は、それぞれ、端部３ａが幾分前傾するように略く字状に曲成されている（図３参照）。
【００１１】
各フレーム３，３同士の間には、帯状のベルト４が掛け渡される。ベルト４は、撓みのない状態で、その両端が各フレーム３，３の端部３ａ，３ａにそれぞれ支持される形で取り付けられる（図２参照）。ベルト４としては、外力を受けると撓む一方、外力が除去されれば、撓みがない状態に復元するものが用いられる。
【００１２】
なお、背凭れ部２の上端２ａは、着座者の後頭部下部が、背凭れ部２の上端２ａの幅方向中央に配置されるようにするため、図１及び図２に示したように、下方向に湾曲した形状に形成されることが好ましい。
【００１３】
上記のように構成される着座用器具によれば、着座者が座部１に着座し、背凭れ部２に凭れかかると、背凭れ部２の上端２ａが着座者の後頭部下部に当接する（図４参照）。そして、着座者の後頭部下部は、背凭れ部２内に設けられたベルト４により支持されることになる。この際、ベルト４は、外力を受けることにより適度に撓むため、着座者の頸椎を強く圧迫することがない。
【００１４】
また、従来の着座用器具では、着座者の後頭部中央Ａ（図５（ａ）参照）を支持する構成であるため、着座者の頭部が前方へ傾くことになる（図５（ｂ）参照）。この点、本実施例に係る着座用器具によれば、着座者の後頭部下部Ｂ（図５（ｃ）参照）を支持する構成であるため、着座者の頭部が前方へ傾くことなく支持されることになる（図５（ｄ）参照）。従って、頭部を支える筋力が低下した者が使用した場合でも、頭部の前方への傾きを抑制して、気道を詰まり難くすることが可能となる。
【実施例２】
【００１５】
図６は、本発明の実施例２に係る着座用器具の要部を示す図である。この図に示したように、本実施例に係る着座用器具は、ベルト４にパッド５が設けられている点で、実施例１に係る着座用器具と異なる。
【００１６】
パッド５は、断面略凹字状に形成され、ベルトの長さ方向中央に取り付けられる（図６参照）。パッド５は、弾性を有し、両側の隆起した部分５ａ，５ａが着座者の後頭部下部の両側Ｃ，Ｃ（図７参照）を支持し得るように構成される。
【００１７】
上記のように構成される着座用器具によれば、着座者が座部１に着座し、背凭れ部２に凭れかかると、着座者の後頭部下部の両側が、パッド５の隆起した部分５ａ，５ａにそれぞれ支持されることになるため、着座者の頭部が左右へ傾いたり、揺れ動いたりすることを抑制することができる。従って、着座者の頭部をより安定した状態で保持することが可能となる。また、頭部の左右への傾きや揺動によって生じる首への負担を軽減することが可能となる。
【実施例３】
【００１８】
図８は、本発明の実施例３に係る着座用器具の要部を示す図である。この図に示したように、本実施例に係る着座用器具は、背凭れ部２にパッド６が設けられている点で、実施例１に係る着座用器具と異なる。
【００１９】
パッド６は、弾性を有し、背凭れ部２の上端２ａにおいて、背凭れ部２の表面から隆起するように設けられる。パッド６は、背凭れ部２の上端２ａに着座者の後頭部下部が当接したときに、後頭部下部の両側をそれぞれ支持し得るように、２つ設けられている。
【００２０】
上記のように構成される着座用器具によれば、着座者が座部１に着座し、背凭れ部２に凭れかかると、着座者の後頭部下部の両側が、パッド６，６によりそれぞれ支持されることになるため、着座者の頭部が左右へ傾いたり、揺れ動いたりすることを抑制することができる。従って、着座者の頭部をより安定した状態で保持することが可能となる。また、頭部の左右への傾きや揺動によって生じる首への負担を軽減することが可能となる。さらに、実施例２と異なり、パッド６，６が外部から視認できるので、着座者が頭部を適切な位置に配置することが容易である。
【実施例４】
【００２１】
図９は、本発明の実施例４に係る着座用器具の要部を示す図である。この図に示したように、本実施例に係る着座用器具は、背凭れ部２に取り付けられるカバー８を有する点で、実施例１に係る着座用器具と異なる。
【００２２】
カバー８は、シートカバーのように背凭れ部２を覆うものであり、背凭れ部２から取り外し可能に構成することもできる。カバー８には、パッド７が設けられている。パッド７は、弾性を有し、カバー８の背凭れ部２の上端を覆う部分において、カバー８の表面から隆起するように設けられる。パッド７は、カバー８の背凭れ部２の上端を覆う部分に着座者の後頭部下部が当接したときに、後頭部下部の両側をそれぞれ支持し得るように、２つ設けられている。
【００２３】
上記のように構成される着座用器具によれば、着座者の後頭部下部の両側がパッド７，７によりそれぞれ支持されることになるため、着座者の頭部が左右へ傾いたり、揺れ動いたりすることを抑制することができる。従って、着座者の頭部をより安定した状態で保持することが可能となる。また、頭部の左右への傾きや揺動によって生じる首への負担を軽減することが可能となる。さらに、実施例３と同様に、パッド７，７が外部から視認できるので、着座者が頭部を適切な位置に配置することが容易である。
【実施例５】
【００２４】
図１０は、本発明の実施例５に係る着座用器具の内部構造を示す図である。この図に示したように、本実施例に係る着座用器具は、各フレーム３，３の中途に、各フレーム３，３を前方へ屈曲可能にする屈曲部材９がそれぞれ配設されている点で、実施例１に係る着座用器具と異なる。
【００２５】
屈曲部材９は、２つの支点９ａ，９ｂを有し、各支点９ａ，９ｂを中心としてフレーム３に連結される上下の連結部９ｃ，９ｄがそれぞれ回動するように構成されている（図１１参照）。
【００２６】
上記のように構成される着座用器具によれば、屈曲部材９を設けることにより、各フレーム３，３が前方へ屈曲し得るため、後頭部下部の位置が着座者によって異なる場合でも、各フレーム３，３を屈曲させることにより、着座者の体格に合わせてベルト４の位置を調節することが可能となる。また、各フレーム３，３の屈曲角度を大きくして、背凭れ部２の上端２ａを着座者の背中に当接させ、着座者の背中をベルト４により支持することも可能となる（図１２参照）。このように、各フレーム３，３を屈曲させることにより、ベルト４で着座者の背中を支持し得る構成とすれば、着座者が背凭れ部２に凭れかかった状態でも、着座者の上半身が略垂直な姿勢となるように保持することが可能となる。また、背凭れ部２の上端２ａを、図１及び図２に示したように、下方向に湾曲した形状に形成すれば、着座者の背中を背後から包囲するように保持することができる（図１２参照）。
【図面の簡単な説明】
【００２７】
【図１】本発明の実施例１に係る着座用器具を示す斜視図である。
【図２】実施例１に係る着座用器具の内部構造を示す正面図である。
【図３】実施例１に係る着座用器具の内部構造を示す右側面図である。
【図４】実施例１に係る着座用器具の使用状態を示す図である。
【図５】実施例１に係る着座用器具の作用を説明するための図である。
【図６】本発明の実施例２に係る着座用器具の要部を示す図である。
【図７】実施例２に係る着座用器具の作用を説明するための図である。
【図８】本発明の実施例３に係る着座用器具の要部を示す図である。
【図９】本発明の実施例４に係る着座用器具の要部を示す図である。
【図１０】本発明の実施例５に係る着座用器具の内部構造を示す図である。
【図１１】実施例５において採用した屈曲部材を示す図である。
【図１２】実施例５に係る着座用器具の作用を説明するための図である。
【符号の説明】
【００２８】
１  座部
２  背凭れ部
３  フレーム
４  ベルト
５，６，７  パッド
８  カバー
９  屈曲部材
【図１】
2007236428.tif 000003
【図２】
2007236428.tif 000004
【図３】
2007236428.tif 000005
【図４】
2007236428.tif 000006
【図５】
2007236428.tif 000007
【図６】
2007236428.tif 000008
【図７】
2007236428.tif 000009
【図８】
2007236428.tif 000010
【図９】
2007236428.tif 000011
【図１０】
2007236428.tif 000012
【図１１】
2007236428.tif 000013
【図１２】
2007236428.tif 000014